(57)【要約】【課題】複雑な操作を要することなく、所望のラジオ放送を再視聴可能なラジオ放送受信装置を提供する。【解決手段】ラジオ放送受信装置において、放送事業者から提供されるラジオ放送信号を選択的に受信可能な受信部と、前記受信部において前記ラジオ放送信号の受信が開始されることに伴い、該ラジオ放送信号に含まれる音声情報を所定の形式で記憶する記憶部と、前記受信部において受信中のラジオ放送信号に含まれる音声情報又は前記記憶部に記憶された音声情報に基づいて音声を出力可能な音声出力部と、前記記憶部に記憶された音声情報に基づく音声出力を指示可能な操作部と、前記操作部からの操作信号に基づいて、前記記憶部への音声情報の記憶を中断させるとともに、前記記憶部に記憶された音声情報に基づく音声を、前記音声出力部に出力させる制御部と、を備えるようにした。【選択図】図１
2008236316.tif 000002
【特許請求の範囲】
【請求項１】
放送事業者から提供されるラジオ放送信号を選択的に受信可能な受信部と、
前記受信部において前記ラジオ放送信号の受信が開始されることに伴い、該ラジオ放送信号に含まれる音声情報を所定の形式で記憶する記憶部と、
前記受信部において受信中のラジオ放送信号に含まれる音声情報又は前記記憶部に記憶された音声情報に基づいて音声を出力可能な音声出力部と、
前記記憶部に記憶された音声情報に基づく音声出力を指示可能な操作部と、
前記操作部からの操作信号に基づいて、前記記憶部への音声情報の記憶を中断させるとともに、前記記憶部に記憶された音声情報に基づく音声を、前記音声出力部に出力させる制御部と、を備えることを特徴とするラジオ放送受信装置。
【請求項２】
前記記憶部は、所定の容量を有し、記憶された音声情報の容量が前記所定の容量に達した場合は、記憶されている音声情報を古い順に消去するとともに、前記受信部において新たに受信されたラジオ放送信号に含まれる音声情報を前記消去領域に記憶し、
前記制御部は、前記操作部からの操作信号に基づいて、前記記憶部に記憶された音声情報に基づく音声を、古い順に前記音声出力部に出力させることを特徴とする請求項１に記載のラジオ放送受信装置。
【請求項３】
前記制御部は、前記記憶部に記憶された音声情報に基づく音声を、所定時間前から順に前記音声出力部に出力させることを特徴とする請求項２に記載のラジオ放送受信装置。
【請求項４】
前記制御部は、前記所定時間を変更可能であることを特徴とする請求項３に記載のラジオ放送受信装置。
【請求項５】
前記制御部は、
前記操作部から操作信号が入力された後、前記記憶部に記憶された音声情報に基づく音声を、前記音声出力部に繰り返し出力させ、
前記操作部から再度操作信号が入力されることに伴い、前記受信部において受信中のラジオ放送信号に含まれる音声情報に基づく音声を、前記音声出力部に出力させるとともに、前記記憶部への音声情報の記憶を再開させることを特徴とする請求項１から４の何れか一項に記載のラジオ放送受信装置。
【請求項６】
前記操作部は、前記記憶部に記憶された音声情報に基づく音声出力を指示するための専用の操作ボタンであることを特徴とする請求項１から５のいずれか一項に記載のラジオ放送受信装置。
【発明の詳細な説明】
【技術分野】
【０００１】
本発明は、ラジオ放送受信装置に関し、特に、車載用のラジオ放送受信装置に適用して有用な技術に関する。
【背景技術】
【０００２】
従来、家庭用／車載用のラジオ放送受信装置においては、例えば、放送事業者から提供されたラジオ放送信号がチューナ（受信部）によって受信され、このラジオ放送信号に含まれる音声情報に基づいて音声が出力される。すなわち、ラジオ放送は放送事業者本位で提供されるようになっている。
【０００３】
このため、ラジオ放送を視聴している利用者は、現在視聴しているラジオ放送が、自分に有用な情報であることを認知したときには、すでにその情報はすぎてしまい必要な情報を聴き逃してしまうことがある。例えば、車載用のラジオ放送受信装置において、交通情報、天気予報、楽曲の紹介ＭＣ、ニュースなどのラジオ放送を聴いているときに、利用者が必要な情報を聴き逃してしまった場合、当該放送事業者から提供される次の情報を待つことになる。
【０００４】
または、交通情報や天気予報等、複数の放送事業者から提供される情報の場合は、他局のラジオ放送をザッピングするという行動がとられる。このように、聴き逃したラジオ放送を再び聴きたいという欲求はあるが、聴き逃したラジオ放送を再視聴することは現実的には不可能となっている。
【０００５】
そこで、特許文献１には、ラジオ放送の視聴途中に、一定時間分量の情報を実時間で継続的に貯蔵して、利用者が再び聴きたいときに、貯蔵されたデータを再生できるようにし、ラジオ放送受信装置の使用上の便宜性を向上させたラジオ放送の実時間録音再生機が開示されている。
【特許文献１】特開２００１−２８５１００号公報
【発明の開示】
【発明が解決しようとする課題】
【０００６】
しかしながら、上記特許文献１に記載の技術は、図７に示すように、チューナボタンＢ１、前進移動（早送り）ボタンＢ２、後進移動（早戻し）ボタンＢ３、再生ボタンＢ４、録音ボタンＢ５、電源ボタンＢ６等の複数の操作ボタンが配置された操作パネルＣを装備するものであり、利用者が必要な情報を得るためには、複雑な操作を要求される。具体的には、録音ボタンＢ５を操作することでラジオ放送の貯蔵を開始させ、聴き逃したラジオ放送を視聴する際に再生ボタンＢ４を操作する必要がある。さらに、再生位置を移動させるためには前進・後進移動ボタンＢ２、Ｂ３を操作しなければならない。
【０００７】
特に、車載用のラジオ放送受信装置において、複雑な操作は運転中の安全性を低下させる原因となるので、上述した技術は不向きであるといえる。
【０００８】
本発明は、複雑な操作を要することなく、所望のラジオ放送を再視聴可能なラジオ放送受信装置を提供することを目的とする。
【課題を解決するための手段】
【０００９】
上記目的を達成するため、請求項１に記載の発明は、放送事業者から提供されるラジオ放送信号を選択的に受信可能な受信部と、前記受信部において前記ラジオ放送信号の受信が開始されることに伴い、該ラジオ放送信号に含まれる音声情報を所定の形式（例えば、ＰＣＭ形式やＡＡＣ形式）で記憶する記憶部と、前記受信部において受信中のラジオ放送信号に含まれる音声情報又は前記記憶部に記憶された音声情報に基づいて音声を出力可能な音声出力部と、前記記憶部に記憶された音声情報に基づく音声出力を指示可能な操作部と、前記操作部からの操作信号に基づいて、前記記憶部への音声情報の記憶を中断させるとともに、前記記憶部に記憶された音声情報に基づく音声を、前記音声出力部に出力させる制御部と、を備えることを特徴としている。
【００１０】
請求項２に記載の発明は、請求項１に記載のラジオ放送受信装置において、前記記憶部は、所定の容量を有し（例えば、１〜２分程度の音声情報を記憶可能な容量）、記憶された音声情報の容量が前記所定の容量に達した場合は、記憶されている音声情報を古い順に消去するとともに、前記受信部において新たに受信されたラジオ放送信号に含まれる音声情報を前記消去領域に記憶し、前記制御部は、前記操作部からの操作信号に基づいて、前記記憶部に記憶された音声情報に基づく音声を、古い順に前記音声出力部に出力させることを特徴としている。
【００１１】
請求項３に記載の発明は、請求項２に記載のラジオ放送受信装置において、前記制御部は、前記記憶部に記憶された音声情報に基づく音声を、所定時間前（例えば、１分）から順に前記音声出力部に出力させることを特徴としている。
【００１２】
請求項４に記載の発明は、請求項３に記載のラジオ放送受信装置において、前記制御部は、前記所定時間を変更可能であることを特徴としている。
【００１３】
請求項５に記載の発明は、請求項１から４のいずれか一項に記載のラジオ放送受信装置において、前記制御部は、前記操作部から操作信号が入力された後、前記記憶部に記憶された音声情報に基づく音声を、前記音声出力部に繰り返し出力させ、前記操作部から再度操作信号が入力されることに伴い、前記受信部において受信中のラジオ放送信号に含まれる音声情報に基づく音声を、前記音声出力部に出力させるとともに、前記記憶部への音声情報の記憶を再開させることを特徴としている。
【００１４】
請求項６に記載の発明は、請求項１から５のいずれか一項に記載のラジオ放送受信装置において、前記操作部は、前記記憶部に記憶された音声情報に基づく音声出力を指示するための専用の操作ボタンであることを特徴としている。
【発明の効果】
【００１５】
本発明によれば、受信部において受信されたラジオ放送信号に含まれる音声情報を記憶する記憶部と、この記憶部に記憶された音声情報に基づく音声出力を指示するための操作部と、を設けるようにしたので、簡単な操作により、聴き逃したラジオ放送を再視聴させることができる。
【００１６】
特に、本発明を適用した車載用のラジオ放送受信装置によれば、聴き逃したラジオ放送の再視聴操作に伴い、運転中の安全性が極端に低下するのを回避できる。
【発明を実施するための最良の形態】
【００１７】
以下、本発明の実施の形態を図面に基づいて説明する。
図１は本発明に係るラジオ放送受信装置の一例としての車載用ＡＶＮ（オーディオ・ビジュアル・ナビゲーション）装置の全体構成を示すブロック図であり、図２は車載用ＡＶＮ装置の外観を示す正面図である。
この車載用ＡＶＮ装置１００は、例えば、２ＤＩＮタイプのものであり、ダッシュボードの所定の取り付けスペースに設置される。
【００１８】
図１に示すように、車載用ＡＶＮ装置１００は、受信部（チューナ）１０と、信号処理部２０と、表示部３０と、音声出力部４０と、操作部５０と、記憶部６０と、制御部７０と、を備えて構成される。
【００１９】
受信部１０は、放送事業者から提供されるディジタル／アナログラジオ放送信号を、アンテナＡを介して選択的に受信するとともに、受信したラジオ放送信号を増幅し復調する。
【００２０】
信号処理部２０は、受信部１０において受信されたディジタルラジオ放送信号に含まれる音声情報や、後述する記憶部６０に記憶された音声情報（例えば、ＰＣＭ形式やＡＡＣ形式のディジタル音声情報）を伸張・復号化する。また、受信部１０において受信されたディジタル／アナログラジオ放送信号に含まれる音声情報を後述する記憶部６０に記憶するために、前記音声情報を圧縮・符号化する。
【００２１】
表示部３０は、図２に示すように、ＡＶＮ装置１００本体の前面略中央部に設けられ、例えば、タッチパネル付き液晶ディスプレイ（ＬＣＤ：liquid crystal display）で構成される。この表示部３０では、ＡＶＮ装置１００の利用モード（例えば、ラジオモード、オーディオモード、ビデオモード、ナビゲーションモード等）に対応した種々の表示が行われる。
【００２２】
また、表示部３０にはタッチパネルを採用しており、表示部３０の下部領域に配置された操作ボタン群５０ｂは後述する操作部２０の一部を構成する。なお、表示部３０としてのタッチパネル付きＬＣＤの構成は特に制限されるものではなく、アナログ容量結合方式、抵抗膜方式、光イメージセンサ方式等、種々の方式を利用することができる。
【００２３】
音声出力部４０は、信号処理部２０で伸張・復号化されたディジタル音声情報をアナログ変換するとともに、増幅してアナログ音声信号を図示しないスピーカ等に出力する。また、アナログラジオ放送の場合には、音声出力部４０は、受信部１０で受信され復調されたアナログ音声信号を増幅して図示しないスピーカ等に出力する。
【００２４】
操作部５０は、電源ボタンや音量ボタン、利用モードに応じた操作ボタン等の各種操作ボタンを備えて構成される。本実施形態では、操作部５０は、ＡＶＮ装置１００本体の枠体下部に設けられた操作パネル５０ａ及び表示部３０としてのタッチパネル付きＬＣＤに配置された操作ボタン群５０ｂにより構成されている（図２参照）。利用者がこの操作部５０を操作すると、操作信号が制御部７０に出力され、制御部７０はこの操作信号に基づいて各ブロックの動作を制御する。
【００２５】
操作パネル５０ａには、例えば、音量の上下や利用モードの選択、電源のオン／オフ等の操作ボタンが配置されている。これらの操作ボタンは、基本的に利用モードに関係なく所定の処理を実行させる。ただし、利用モードに応じて異なる機能を割り当てられる場合もある。
【００２６】
一方、表示部３０に配置される操作ボタン群５０ｂは、利用モードに応じて自在に変更される。図２は、ラジオモードで利用可能な操作ボタン群５０ｂの一例を示しており、チューナーボタンＢ１１及びラジオリピートボタン（Ｒ−ＲＥＰボタン）Ｂ１２が表示部３０の下部領域に配置されている。利用者は、表示部３０に配置されたチューナーボタンＢ１１を押下することで受信するラジオ放送を選択でき、Ｒ−ＲＥＰボタンＢ１２を押下することで所定時間前に受信されたラジオ放送を再視聴することができる。
【００２７】
すなわち、本実施形態では、後述する記憶部６０に記憶された音声情報に基づく音声出力を指示するための専用の操作ボタンとして、Ｒ−ＲＥＰボタンＢ１２を設けている。なお、タッチパネルを利用してＲ−ＲＥＰボタンＢ１２を新設するようにしているので、操作ボタンの増設に伴い装置構成が複雑になることはない。
【００２８】
なお、上述した操作部５０を構成する操作ボタンの形態は一例であって、その種類、位置、大きさ、機能などはこれに限定されず、種々変更可能である。
【００２９】
記憶部６０は、半導体メモリ等で構成され、音声情報を１〜２分程度記憶可能な所定の容量を有する。また、記憶部６０は、受信部１０において受信されたラジオ放送信号に含まれる音声情報を所定の形式（例えば、ＰＣＭ形式やＡＡＣ形式）で記憶する。
【００３０】
このとき、記憶部６０に記憶された音声情報の容量が、記憶部６０の記憶容量上限に達した場合には、例えば、記憶されている音声情報を古い順に消去するとともに、受信部１０において新たに受信されたラジオ放送信号に含まれる音声情報を消去領域に記憶する。
【００３１】
制御部７０は、ＣＰＵ７１、ＲＯＭ７２、ＲＡＭ７３を有し、ＣＰＵ７１は、例えば、ＲＯＭ７２に格納されている制御プログラム等を実行して車載用ＡＶＮ装置１００の各ブロックを駆動制御する。
【００３２】
具体的には、ＣＰＵ７１は、利用者の操作に伴い操作部５０から操作信号が入力されると、ＲＯＭ７２に記録されたオーディオプレイヤー用の各種制御プログラムやアプリケーションプログラムなどを読み出してＲＡＭ７３内のプログラム格納領域に展開し、各種処理を実行する。この処理に際して生じる各種データは、ＲＡＭ７３内に形成されるワークエリア（データ格納領域）に一時的に記憶される。
【００３３】
本実施形態では、制御部７０は、Ｒ−ＲＥＰボタンＢ１２が操作されると、記憶部６０への音声情報の記憶を中断させるとともに、記憶部６０に記憶されている音声情報に基づく音声を出力させる。具体的には、例えば、信号処理部２０において記憶部６０に記憶されている音声情報を伸張・復号化し、音声出力部４０においてディジタル音声情報をアナログ変換して増幅し、アナログ音声信号をスピーカ等に出力するように制御する。
【００３４】
次に、本実施形態のＡＶＮ装置１００を用いてラジオ放送信号を受信するときの記憶制御処理について説明する。なお、この記憶制御処理は制御部７０によって実行される。
【００３５】
図３は、ＡＶＮ装置１００で実行される記憶制御処理を示すフローチャートである。
まず、ステップＳ１０１で、受信部１０においてラジオ放送信号を受信中であるか判定する。そして、ラジオ放送信号を受信中であると判定した場合はステップＳ１０２に移行し、受信中でないと判定した場合はそのまま処理を終了する。
【００３６】
ステップＳ１０２では、受信部１０において受信中のラジオ放送をそのまま音声出力部４０から出力しているか判定する。つまり、音声出力部４０から出力される音声が、受信部１０において受信中のラジオ放送信号に含まれる音声情報に基づく音声か、記憶部６０に記憶されていた音声情報に基づく音声かを判定する。
【００３７】
そして、ステップＳ１０２で、受信中のラジオ放送をそのまま音声出力部４０から出力中である、すなわち、受信部１０において受信中のラジオ放送信号に含まれる音声情報に基づく音声出力であると判定した場合は、ステップＳ１０３に移行する。一方、ステップＳ１０２で、受信中のラジオ放送をそのまま音声出力部４０から出力中でない、すなわち、記憶部６０に記憶された音声情報に基づく音声出力であると判定した場合は、ステップＳ１０１に移行し、受信中のラジオ放送信号に含まれる音声情報は記憶部６０に記憶されないこととなる。
【００３８】
ステップＳ１０３では、受信部１０において受信中のラジオ放送信号に含まれる音声情報を所定の形式に変換して記憶部６０に記憶し、その後、ステップＳ１０１に移行して上述した処理を繰り返す。つまり、Ｒ−ＲＥＰボタンＢ１２が押下されることに伴い記憶部６０への音声情報の記憶は中断され、記憶部６０に記憶された音声情報に基づく音声出力が行われることとなる。
【００３９】
上述したように、本実施形態では、受信部１０においてラジオ放送信号の受信が開始されることに伴い、該ラジオ放送信号に含まれる音声情報が所定の形式で記憶部６０に記憶される。このとき、ラジオ放送信号に含まれる音声情報を記憶させるための特別な操作は不要なので、利用者は必要な情報を再視聴するためにラジオ放送を録音しなければならないということを意識しなくてもよい。つまり、特許文献１に記載の技術に比較して、ラジオ放送を再視聴するための操作は簡略化されている。
【００４０】
図４は、記憶部６０に記憶された音声情報の一構成例を示す説明図である。
例えば、受信部１０においてラジオ放送信号の受信が開始されると、このラジオ放送信号に含まれる音声情報ＡＤ１が記憶部６０に記憶される。なお、以前に記憶されていた音声情報は、ラジオ放送信号の受信停止時に全部消去されているものとする。
【００４１】
そして、記憶部６０に記憶された音声情報ＡＤ１の容量が記憶部６０の記憶容量の上限に達した場合は、音声情報ＡＤ１が古い順に消去され、受信部１０において新たに受信されたラジオ放送信号に含まれる音声情報ＡＤ２がこの消去領域に記憶される。または、記憶部６０において、音声情報ＡＤ１に音声情報ＡＤ２を上書きして記憶するようにしてもよい。
【００４２】
さらに、記憶部６０に記憶された音声情報ＡＤ２の容量が記憶部６０の記憶容量の上限に達した場合は、音声情報ＡＤ２が古い順に消去され、受信部１０において新たに受信されたラジオ放送信号に含まれる音声情報ＡＤ３がこの消去領域に記憶される。そして、音声情報ＡＤ３を記憶している途中（タイミングＴ）で、Ｒ−ＲＥＰボタンＢ１２が押下されると、記憶部６０への音声情報ＡＤ３の記憶は中断される。
【００４３】
このとき、記憶部６０には、前半部が消去（上書き）された音声情報ＡＤ２の後半部と、音声情報ＡＤ３が記憶されていることとなる。このように、記憶部６０には、ほぼ一定時間（例えば、１〜２分）の音声情報が記憶されることとなる（音声情報の圧縮率等によって常に一定時間になるとは限らない）。
【００４４】
次に、本実施形態のＡＶＮ装置１００を用いてラジオ放送信号を受信するときの音声出力制御処理について説明する。なお、この音声出力制御処理は制御部７０によって実行される。
【００４５】
図５は、ＡＶＮ装置１００で実行される音声出力制御処理を示すフローチャートである。
まず、ステップＳ２０１で、受信部１０においてラジオ放送信号を受信中であるか判定する。そして、ラジオ放送信号を受信中であると判定した場合はステップＳ２０２に移行し、受信中でないと判定した場合はそのまま処理を終了する。
【００４６】
ステップＳ２０２では、記憶部６０に記憶された音声情報に基づく音声出力を指示するＲ−ＲＥＰボタンＢ１２が操作されたか判定する。そして、Ｒ−ＲＥＰボタンＢ１２が操作されたと判定した場合はステップＳ２０３に移行し、Ｒ−ＲＥＰボタンＢ１２が操作されていないと判定した場合はステップＳ２０７に移行する。
【００４７】
ステップＳ２０３では、記憶部６０に記憶されている音声情報を取得する。そして、ステップＳ２０４では、記憶部６０から取得された音声情報に、信号処理部２０において所定の信号処理（例えば、伸張・復号化処理）を施し、音声出力部４０においてＤ／Ａ変換処理を施す。ステップＳ２０５では、Ｄ／Ａ変換されたアナログ音声信号をスピーカ等に出力する。
【００４８】
このとき、記憶部６０に記憶されている音声情報は古い順に読み出されて、これに基づく音声が出力される。例えば、記憶部６０に１分間分の音声情報が記憶可能な場合は、Ｒ−ＲＥＰボタンＢ１２が操作されると、１分前に記憶された音声情報が順次読み出され、これに基づく音声（１分前のラジオ放送）が出力されることとなる。これにより、利用者は、聴き逃した情報を簡単かつ確実に再視聴することができる。
【００４９】
ステップＳ２０６では、記憶部６０に記憶された音声情報に基づいて音声出力しているときにＲ−ＲＥＰボタンＢ１２が操作されたか判定する。そして、Ｒ−ＲＥＰボタンＢ１２が操作されたと判定した場合はステップＳ２０１に移行し、Ｒ−ＲＥＰボタンＢ１２が操作されていないと判定した場合はステップＳ２０３に移行する。
【００５０】
つまり、記憶部６０に記憶された音声情報に基づいて音声出力しているときに再度Ｒ−ＲＥＰボタンＢ１２が操作されない限り、記憶部６０に記憶された音声情報に基づく音声出力が繰り返されることとなる。これにより、利用者は、再視聴したラジオ放送を容易に再確認することができる。
【００５１】
なお、ステップＳ２０３〜Ｓ２０６の処理が実行される間、記憶部６０への音声情報の記憶は中断されるが、受信部１０ではラジオ放送信号の受信は継続されているものとする。
【００５２】
一方、ステップＳ２０７では、受信部１０において受信中のラジオ放送信号に復調処理等を施して、該ラジオ放送信号に含まれる音声情報を取得する。そして、ステップＳ２０８では、受信部１０から取得された音声情報に、信号処理部２０において所定の信号処理（例えば、伸張・復号化処理）を施し、音声出力部４０においてＤ／Ａ変換処理を施す。ステップＳ２０５では、Ｄ／Ａ変換されたアナログ音声信号をスピーカ等に出力し、その後、ステップＳ２０１に移行する。なお、アナログラジオ放送の場合はステップＳ２０８の処理は省略される。
【００５３】
図６は、音声出力部４０における音声出力形態の一例を示す説明図である。図４で説明したように、受信部１０において受信したラジオ放送信号には音声情報ＡＤ１、ＡＤ２、ＡＤ３が順に含まれ、音声情報ＡＤ３を含むラジオ放送信号を受信中（タイミングＴ）にＲ−ＲＥＰボタンＢ１２が操作された場合を示している。
【００５４】
まず、受信部１０においてラジオ放送信号の受信が開始されると、音声出力部４０は、受信部１０から出力された音声情報ＡＤ１に基づく音声を出力し、続いて音声情報ＡＤ２に基づく音声を出力する。
【００５５】
次いで、音声出力部４０は、受信部１０からの音声情報ＡＤ３に基づく音声を出力し、Ｒ−ＲＥＰボタンＢ１２が操作されると、受信部１０からの音声情報ＡＤ３に基づく音声出力を停止する。同時に、記憶部６０に記憶されている、前半部が消去（音声情報ＡＤ３で上書き）された音声情報ＡＤ２に基づく音声を出力した後、音声情報ＡＤ３に基づく音声を出力する。そして、Ｒ−ＲＥＰボタンＢ１２が再度押下されるまで、記憶部６０からの音声情報ＡＤ２、ＡＤ３を繰り返し出力する。
【００５６】
このように、本実施形態では、Ｒ−ＲＥＰボタンＢ１２を操作するだけで、聴き逃したラジオ放送を再視聴させることができる。特に、車載用のラジオ放送受信装置によれば、聴き逃したラジオ放送の再視聴操作に伴い、運転中の安全性が極端に低下するのを回避できる。
【００５７】
以上、本発明者によってなされた発明を実施形態に基づいて具体的に説明したが、本発明は上記実施形態に限定されるものではなく、その要旨を逸脱しない範囲で変更可能である。
【００５８】
上記実施形態では、Ｒ−ＲＥＰボタンＢ１２が操作されたときに、記憶部６０に記憶されている音声情報を一番古い（記憶された時間が一番前）ものから順に読み出し音声出力するようにしているが、所定時間前に記憶された音声情報から順に読み出して音声出力するようにしてもよい。つまり、記憶部６０に１分間の音声情報を記憶されている場合に、１分前に記憶された音声情報から読み出して音声出力するのではなく、例えば、３０秒前に記憶された音声情報から読み出して音声出力させることもできる。
【００５９】
また、上記所定時間は、例えば、操作部５０からの入力により自在に変更できるものとし、利用者の視聴形態に対応できるようにするのが望ましい。例えば、曲名紹介等を音声が不明瞭なために聴き逃した場合に再視聴を要求する利用者は設定時間を比較的短く（例えば、１０秒）すればよいし、交通情報や天気予報等を不注意により聴き逃した場合に再視聴を要求する利用者は設定時間を比較的長め（例えば、１分）に設定しておけばよい。
【００６０】
また、記憶部６０に記憶された音声情報を解析して、現在放送中の放送内容の開始点を検出し、この開始点以降の音声情報に基づいて音声出力させるようにしてもよい。例えば、音声情報の無音部分や周波数の変化を検出することで、放送内容の境界を検出することができる。
【００６１】
このとき、例えば、１番組を１放送内容として捉えてもよいし、同一番組内のＣＭ、ＭＣ、音楽等をそれぞれ１放送内容として捉え、より短時間の放送内容を繰り返し再視聴できるようにしてもよい。
【００６２】
これにより、利用者が聴き逃した情報を、効率よく再視聴することができるようになる。例えば、ラジオ放送による英会話を視聴している場合に、英会話の１文章を１放送内容として捉えれば、１文章を繰り返し視聴することが可能となる。
【００６３】
また、上記実施形態では、表示部３０のタッチパネルを利用してＲ−ＲＥＰボタンＢ１２を新設するようにしたが、ラジオ放送受信装置が一般的に備えている既存の操作ボタンを利用してＲ−ＲＥＰボタンの機能を実現することもできる。
【００６４】
また、本発明は、ラジオ放送信号を受信可能なラジオ放送受信装置だけでなく、テレビジョン放送信号を受信可能なテレビジョン放送信号受信装置にも適用できる可能性がある。
【図面の簡単な説明】
【００６５】
【図１】本発明に係るラジオ放送受信装置の一例としての車載用ＡＶＮ（オーディオ・ビジュアル・ナビゲーション）装置の全体構成を示すブロック図である。
【図２】車載用ＡＶＮ装置の外観を示す正面図である。
【図３】ＡＶＮ装置１００で実行される記憶制御処理を示すフローチャートである。
【図４】記憶部６０に記憶された音声情報の一構成例を示す説明図である。
【図５】ＡＶＮ装置１００で実行される音声出力制御処理を示すフローチャートである。
【図６】音声出力部４０における音声出力形態の一例を示す説明図である。
【図７】従来のラジオ放送受信装置における操作パネルの外観を示す正面図である。
【符号の説明】
【００６６】
１０  受信部（チューナ）
２０  信号処理部（デコーダ）
３０  表示部
４０  音声出力部
５０  操作部
Ｂ２  ラジオリピート（Ｒ−ＲＥＰ）ボタン
６０  記憶部
７０  制御部
７１  ＣＰＵ
７２  ＲＯＭ
７３  ＲＡＭ
１００  車載用ＡＶＮ装置
Ａ  アンテナ
【図１】
2008236316.tif 000003
【図２】
2008236316.tif 000004
【図３】
2008236316.tif 000005
【図４】
2008236316.tif 000006
【図５】
2008236316.tif 000007
【図６】
2008236316.tif 000008
【図７】
2008236316.tif 000009